(57)【要約】【課題】ポリエチレン製等の検体採取管に貼着しても剥離することがなく、検体の視認を妨げない検体採取管用ラベルとラベル付き検体採取管を提供する。【解決手段】本検体採取管用ラベル１は、ラベルが印字用基材と接着剤層とからなり、平面形状が台形又は略台形であり、ラベルを検体採取管１０に巻き付けて貼着した場合に、下辺１１が検体採取管１０の外周よりも長く上辺１２が短いため、ラベル下辺端部が重なって接着され、かつ、ラベルが検体採取管を覆わない部分から、検体を視認できるようにされていることを特徴とする。逆に、上辺１２が長く、下辺１１が短い形態であっても同様の効果を発揮できる。【選択図】 図１
2020060425.tif 000002
【特許請求の範囲】
【請求項１】
検体採取管に用いるラベルであって、ラベルが印字用基材と接着剤層とからなり、平面形状が台形又は略台形であり、ラベルを検体採取管に巻き付けて貼着した場合に、ラベル下辺が検体採取管の外周よりも長く上辺が検体採取管の外周よりも短いため、ラベル下辺の一方側端部が他方側端部に重なって接着され、かつ、ラベルが覆わない検体採取管の上側部分から、検体を視認できるようにされていることを特徴とする検体採取管用ラベル。
【請求項２】
検体採取管に用いるラベルであって、ラベルが印字用基材と接着剤層とからなり、平面形状が台形又は略台形であり、ラベルを検体採取管に巻き付けて貼着した場合に、ラベル上辺が検体採取管の外周よりも長く下辺が検体採取管の外周よりも短いため、ラベル上辺の一方側端部が他方側端部に重なって接着され、かつ、ラベルが覆わない検体採取管の下側部分から、検体を視認できるようにされていることを特徴とする検体採取管用ラベル。
【請求項３】
台形が、上辺と下辺に直交する１の側辺を有することを特徴とする請求項１または請求項２記載の検体採取管用ラベル。
【請求項４】
略台形が、緩やかに湾曲した側辺を有することを特徴とする請求項１または請求項２記載の検体採取管用ラベル。
【請求項５】
平面形状が台形又は略台形であって、ラベル下辺が検体採取管の外周よりも長く上辺が検体採取管の外周よりも短いラベルを、ラベル下辺の一方側端部が他方側端部に重なって接着され、かつ、ラベルが覆わない検体採取管の上側部分から検体を視認できるようにラベルが貼着されていることを特徴とするラベル付き検体採取管。
【請求項６】
平面形状が台形又は略台形であって、ラベル上辺が検体採取管の外周よりも長く下辺が検体採取管の外周よりも短いラベルを、ラベル上辺の一方側端部が他方側端部に重なって接着され、かつ、ラベルが覆わない検体採取管の下側部分から検体を視認できるようにラベルが貼着されていることを特徴とするラベル付き検体採取管。
【発明の詳細な説明】
【技術分野】
【０００１】
本発明は、検体採取管用ラベルとラベル付き検体採取管に関する。
詳しくは、検体採取管に用いて、ラベルが採取管から容易に剥離することなく、かつ、採取した検体の視認を妨げないようにした検体採取管用ラベルと当該ラベルを貼着したラベル付き検体採取管に関する。
【背景技術】
【０００２】
医療現場では、検体（血液、尿等）を採取し、プラスチックやガラス製の採取管に入れて保管する。採取管には、必要情報（患者名、採取日等）を印字したラベルを貼着するが、採取管の素材がプラスチック、特にポリオレフィン系樹脂からなる場合は、接着剤を使用していてもラベルが採取管から剥がれて脱落し易い傾向がある。
ラベルの脱落を防止するためには、ラベルの幅を採取管の外周よりも大きく設定し、ラベルの左右の辺が全体に重なるようにする方法が有効であるが、通常の矩形状のラベルでそのようにする場合は、採取管の中の検体が視認し難くなる問題を生じる。
検体は、視覚で採取量や色調等を確認する必要があり、中の状態を視認できないことは基本的な欠陥になる。
【０００３】
以下に、図面を参照して状況を説明する。
図７は、検体採取管に従来のラベルを貼着した状態を説明する図である。
図７（Ａ）のように、検体採取管１０には、検体２０が採取される。この検体採取管１０に、検体に関する必要情報を印字したラベル１ｊを巻き付けて貼着する。
図７（Ｂ）左は、検体採取管１０にラベル１ｊを巻き付けて貼着した状態である。検体採取管１０が、ポリエチレンやポリプロピレン等のポリオレフィン系樹脂からなる場合は、
樹脂の極性が小さいため接着性が低く、特にラベル１ｊが剥がれ易く、経時的に図７（Ｂ）右のような状態になり易い。
図７（Ｃ）のように、ラベル１ｊの幅を採取管の外周よりも大きくして、ラベル１ｊの側辺端部が相互に重なり合うようにすると、剥がれ難くはなるが、この場合は、採取管１０内の検体２０が視認し難くなるという問題が生じる。
そこで、本発明は、検体採取管にラベルを貼着した場合もラベルが剥離し難く、かつ、検体２０の視認を妨げないラベルを完成すべく、鋭意研究して完成したものである。
【０００４】
本願に関連する先行文献は検出されないが、ラベルおよび検体に関連する以下の特許文献が存在する。特許文献１は、第１のラベル（容器用ラベル）と第２のラベル（シート用ラベル）を使用するもので、本願の構成と相違している。
特許文献２は、ラベルの裏面に設けられた注意・警告表示部が、透明薬品容器のラベルが一定間隔離れている間隙から視認できる構成を特徴としている。ラベルが重なって接着する部分を有しないことから本願と相違している。
【先行技術文献】
【特許文献】
【０００５】
【特許文献１】特許第３０１３９２２号公報
【特許文献２】実用新案登録第３１４１５０５号公報
【発明の概要】
【発明が解決しようとする課題】
【０００６】
検体を識別するためのラベルを検体採取管に貼着した際に、検体採取管がポリエチレン等の易剥離性材質からなっていても、検体採取管から剥がれることがなく、かつ、検体採取管内の検体を外から容易に視認可能にする検体採取管用ラベル、およびラベル付き検体採取管を完成する。
【課題を解決するための手段】
【０００７】
本発明の要旨の第１は、検体採取管に用いるラベルであって、ラベルが印字用基材と接着剤層とからなり、平面形状が台形又は略台形であり、ラベルを検体採取管に巻き付けて貼着した場合に、ラベル下辺が検体採取管の外周よりも長く上辺が検体採取管の外周よりも短いため、ラベル下辺の一方側端部が他方側端部に重なって接着され、かつ、ラベルが覆わない検体採取管の上側部分から、検体を視認できるようにされていることを特徴とする検体採取管用ラベル、にある。
【０００８】
本発明の要旨の第２は、検体採取管に用いるラベルであって、ラベルが印字用基材と接着剤層とからなり、平面形状が台形又は略台形であり、ラベルを検体採取管に巻き付けて貼着した場合に、ラベル上辺が検体採取管の外周よりも長く下辺が検体採取管の外周よりも短いため、ラベル上辺の一方側端部が他方側端部に重なって接着され、かつ、ラベルが覆わない検体採取管の下側部分から、検体を視認できるようにされていることを特徴とする検体採取管用ラベル、にある。
【０００９】
上記要旨の第１、第２において、台形が、上辺と下辺に直交する１の側辺を有する、ようにすることができ、略台形が、緩やかに湾曲した側辺を有するようにすることができる。
【００１０】
本発明の要旨の第３は、平面形状が台形又は略台形であって、ラベル下辺が検体採取管の外周よりも長く上辺が検体採取管の外周よりも短いラベルを、ラベル下辺の一方側端部が他方側端部に重なって接着され、かつ、ラベルが覆わない検体採取管の上側部分から検体を視認できるようにラベルが貼着されていることを特徴とするラベル付き検体採取管、にある。
【００１１】
本発明の要旨の第４は、平面形状が台形又は略台形であって、ラベル上辺が検体採取管の外周よりも長く下辺が検体採取管の外周よりも短いラベルを、ラベル上辺の一方側端部が他方側端部に重なって接着され、かつ、ラベルが覆わない検体採取管の下側部分から検体を視認できるようにラベルが貼着されていることを特徴とするラベル付き検体採取管、にある。
【発明の効果】
【００１２】
本発明の検体採取管用ラベルは、ラベルを検体採取管に貼着した場合に、ラベルの下辺又は上辺が採取管の外周よりも長く、相互に重なって接着する部分を有しているので、採取管から剥離することがない。一方、対するラベルの上辺又は下辺は、ラベルの外周よりも短くなっているので、ラベルが貼られることがない検体採取管域が生じ、その部分から検体の状態を視認できる効果を有する。
【００１３】
本発明のラベル付き検体採取管は、台形又は略台形状のラベルの下辺又は上辺が対する上辺又は下辺よりも長くされているラベルが貼着されているので、ラベルの長い方の辺の一方側端部が他方側端部に重なって接着され、ラベルが検体採取管から剥離することがない。
一方、対するラベルの上辺又は下辺は、ラベルの外周よりも短くなっているので、ラベルで覆われることがない検体採取管域が生じ、その部分から検体の状態を視認できる効果を有する。
【図面の簡単な説明】
【００１４】
【図１】検体採取管と第１形態の検体採取管用ラベルを示す図である。
【図２】第１形態の検体採取管用ラベルを検体採取管に貼着した図である。
【図３】検体採取管と第２形態の検体採取管用ラベルを示す図である。
【図４】第２形態の検体採取管用ラベルを検体採取管に貼着した図である。
【図５】検体採取管用ラベルの各種形状を示す図である。
【図６】剥離紙付き検体採取管用ラベルを示す図である。
【図７】検体採取管に従来のラベルを貼着した状態を説明する図である。
【発明を実施するための形態】
【００１５】
本発明の検体採取管用ラベルは、印字用基材と接着剤層との層構成からなっている。
接着剤層には、粘着剤が使用される。粘着剤は、通常は剥離紙に保護された構造にされている。この構成は、ラベルの一般的な構成であり、特徴的なものではない。
【００１６】
本発明の検体採取管用ラベルの特徴は、ラベルの平面形状が台形又は略台形であって、ラベル上辺又は下辺が貼着する検体採取管の外周よりも長くされているため、上辺又は下辺のラベル端部が相互に重なって接着し、剥離し難くなることである。一方、対する下辺又は上辺は検体採取管の外周よりも短くされているので窓部分を形成し、検体の視認を容易にする特徴がある。
本発明のラベル付き検体採取管は、上記検体採取管用ラベルが検体採取管に貼着された態様のもので、同様の特徴を有する。
【００１７】
台形とは、一般に四角形の一部であり、少なくとも一組の対辺が互いに平行になっているような図形を言う。平行な２本の対辺を台形の底辺といい、そのうちの一方を上底、他方を下底というが、本願では、図面上において、上側の辺を上辺、下側の辺を下辺というものとする。また、台形の左右の辺を側辺（右側辺、左側辺）という。
本発明で、「略台形」とは、側辺が緩やかに湾曲している形状を言うものとする。このような形状は、実質的に台形と異ならないからである。
台形には、下辺の両端にある内角の大きさが等しい等脚台形や側辺の一つが上辺と下辺に直交する台形があるが、これらも本発明でいう台形に含まれるものである。
【００１８】
以下、図面を参照して、本発明の検体採取管用ラベルとラベル付き検体採取管について説明する。
図１は、検体採取管と第１形態の検体採取管用ラベルを示す図である。図１左は、模式的に示す検体採取管１０、図１右は、貼着前のラベル１を示している。
第１形態の検体採取管用ラベル１は、ラベルの平面形状が台形又は略台形であり、下辺１１が検体採取管１０の外周よりも長くされている。図１の場合、左側辺１３ｈが上辺１２と下辺１１に直交する台形であるが、これには限定されない。
なお、検体採取管用ラベルには必要な情報が印字されている。
【００１９】
実際の検体採取管１０は、採取量が、血液の場合、１０〜１００ｍｌ程度のものが多い。検体採取管は一般的に円筒状の管の一方に底部が設けられ、他方に口部が設けられている。前記管の外径（直径）は１２〜１７ｍｍ程度、管の底部から口部までの高さは７０〜１１０ｍｍ程度である。検体が尿の場合は、より採取量が大きくなる。
図示していないが、管の口部にはプラスチックキャップやガラス蓋などが適用される。
管の材質はガラスや各種プラスチックが使用されるが、本発明のラベルは、ポリオレフィン系樹脂製の管にも適用できることを目的としている。
【００２０】
図２は、第１形態の検体採取管用ラベルを検体採取管に貼着した図である。
検体採取管用ラベル１を検体採取管１０に貼着した場合は、ラベルの下辺１１が検体採取管の外周よりも長いので、図１に示したラベル下辺１１の一方側端部１１ｔが他方側端部１１ｓに重なって接着されるようになる。ラベル１を検体採取管の外周に沿って貼着した状態で、ラベル付き検体採取管が完成する。
ラベル下辺１１には、ラベルの重なった部分１４が生じている。このように、重なって接着される部分があるので、接着し難い材質からなる採取管でもラベル１が剥がれることがない。ラベルの重なった部分１４は、ある程度の面積が必要であり、微小面積では剥離防止効果が低減する。ラベルの重なった部分１４の面積としては、少なくとも１０ｍｍ2程度、好ましくは２０ｍｍ2程度の面積が必要である。
一方、上辺１２が検体採取管１０の外周よりも短いため、ラベル１が検体採取管１０を覆わない窓部分が生じ、そこから検体を視認できるようにされている。
第１形態の場合、検体採取管１０の上方部分から検体２０を視認できるので、採取作業では利用し易いラベル付き検体採取管の形態となる。
【００２１】
図３は、検体採取管と第２形態の検体採取管用ラベルを示す図である。図１左は、模式的に示す検体採取管１０、図１右は、貼着前のラベル１を示している。
第２形態の検体採取管用ラベル１は、ラベル１の平面形状が台形又は略台形であることは第１形態と同様であるが、第１形態とは逆に、上辺１２が検体採取管１０の外周よりも長くされている。
【００２２】
図４は、第２形態の検体採取管用ラベルを検体採取管に貼着した図である。
検体採取管用ラベル1を検体採取管１０に貼着した場合は、ラベルの上辺１２が検体採取管の外周よりも長いので、図３に示したラベル上辺１２の一方側端部１２ｔが他方側端部１２ｓに重なって接着される。このように、重なって接着される部分があるので、接着し難い材質からなる採取管でもラベル１が剥がれることがない。
一方、ラベル下辺１１が検体採取管１０の外周よりも短いため、ラベル１が検体採取管１０を覆わない窓部分が生じ、そこから検体を視認し易いラベル付き検体採取管となる。
第２形態の場合、採取検体２０が少ない量であっても下側から検体を視認し易いラベル付き検体採取管となる。
【００２３】
次に、検体採取管用ラベルの形状について説明する。
図５は、検体採取管用ラベルの各種形状を示す図である。
図５（Ａ）は、左側辺１３ｈが、下辺１１と上辺１２に直交している台形である。上記、図１の第１形態のラベル１が該当する。
図５（Ｂ）は、両側辺が、下辺１１と上辺１２に直交していない台形である。上記、図３の第２形態のラベル１が該当する。
図５（Ｃ）は、左側辺１３ｈが、下辺１１と上辺１２に直交し、右側１３ｍが緩やかに湾曲している形状である。本発明でいう略台形に属する形状である。
図５（Ｄ）は、双方の側辺が緩やかに湾曲している形状である。この形状も本発明でいう略台形に属する形状である。このような形状であっても良い。
なお、左右の関係は逆であってもよい。
【００２４】
次に、粘着剤を使用する場合の検体採取管用ラベルについて説明する。
図６は、剥離紙付き検体採取管用ラベルを示す図である。
図６（Ａ）は、印字用基材１５を打ち抜きした状態、図６（Ｂ）は、ラベル部以外の印字用基材をかす上げした状態である。
図６（Ａ）のように、剥離紙付き検体採取管用ラベル１は、表面が印字用基材１５からなり、印字用基材１５の裏面に粘着剤層１６を有している。粘着剤層１６は、剥離紙１７により保護されている。
検体採取管用ラベル１は、打ち抜き線１８により粘着剤層１６まで型抜きされている。通常、連続紙の状態であり、単位のラベル毎に切り離す切り取り線１９を有している。
検体採取管用ラベル１に印字する際、連続したデータの場合は連続紙の状態で行うが、単位毎のデータの場合は、切り取り線１９により単位のラベルに切り取りして小型印字機で印字する。印字機によらず筆記しても良い。
【００２５】
図６（Ｂ）のように、検体採取管用ラベル１以外の部分が不要な場合は、ラベル周囲の印字用基材１５と粘着剤層１６をかす上げして除去する。ラベル１に対する印字はこの状態でも行うこともできる。
【００２６】
［材質に関する実施形態］
（１）印字用基材
印字用基材には、十分な強度と各種プリンター等による印字適性および搬送適性を有するものであれば使用でき、例えば、上質紙、インクジェット用紙、クラフト紙、複写用紙、グラシン紙、パーチメント紙、レーヨン紙、コート紙等の紙が好適に使用できる。
印字用基材の厚みは、印字適性および取扱性から、２０〜２００μｍ、好ましくは５０〜１５０μｍ（坪量４０〜１０５ｇ／ｍ2）程度である。
（２）粘着剤
粘着剤層１６は、ラベルを検体採取管に貼着可能にする層であり、アクリル系粘着剤が好ましいが、天然ゴム系粘着剤、合成ゴム系粘着剤、シリコンゴム系粘着剤等であってもよい。塗布量は好ましくは３〜３０ｇ／ｍ2程度である。
【００２７】
（３）剥離紙
剥離紙としては、上質紙、コート紙、グラシン紙、クラフト紙、含浸紙、プラスチックフィルムなどを使用できる。基材の粘着剤層と接する面に離型層を有している。厚みも印字用基材と同程度にできる。
【００２８】
（４）タック紙
表面の感熱紙と粘着剤層、および剥離紙が一体になったタック紙を使用することもできる。
感熱タック紙は、発色層を基材面に有するので、ダイレクトサーマル記録をすることができる。ＬＢＰ（レーザビームプリンタ）を使用する場合、ＮＩＰ上質紙を使用するのが好ましい。上質系インクジェット用紙を使用する場合には、ＩＪＰ（インクジェットプリンター）、ＬＢＰの両方に対応できるラベルにすることができる。
【実施例】
【００２９】
（実施例１）
外径１３ｍｍ、高さ８０ｍｍのポリエチレン製検体採取管１０用の検体採取管用ラベル１を作成した。
図５（Ａ）の形状のラベルにおいて、下辺１１の長さＬ１を４５ｍｍ、上辺１２の長さＬ２を３０ｍｍとし、高さＨを５０ｍｍとした。
なお、基材には感熱タック紙を使用した。粘着剤層、剥離紙を含めた厚みは、７０〜８０μｍのものである。
【００３０】
（実施例２）
外径１３ｍｍ、高さ８０ｍｍのポリエチレン製検体採取管１０用の検体採取管用ラベル１を作成した。
図５（Ｂ）の形状のラベルにおいて、下辺１１の長さＬ１を２８ｍｍ、上辺１２の長さＬ２を５０ｍｍとし、高さＨを５０ｍｍとした。
なお、基材には実施例１と同一の感熱タック紙を使用した。
【００３１】
（実施例３）
外径１３ｍｍ、高さ８０ｍｍのポリエチレン製検体採取管１０の検体採取管用ラベル１を作成した。
図５（Ｃ）の形状のラベルにおいて、下辺１１の長さＬ１を５０ｍｍ、上辺１２の長さＬ２を３０ｍｍとし、高さＨを５０ｍｍとした。右側辺１３ｍは、緩やかに湾曲する辺とした。なお、基材には実施例１と同一の感熱タック紙を使用した。
【００３２】
実施例１の検体採取管用ラベル１の剥離紙を剥離して検体採取管１０に貼着したところ、ラベル１の下辺が両端で重なって接着し、剥がれることはなかった。また、検体採取管１０の上方から検体２０を視認することが十分にできた。
実施例２の検体採取管用ラベル１の剥離紙を剥離して検体採取管１０に貼着したところ、ラベル１の上辺が両端で重なって接着し、剥がれることはなかった。また、検体採取管１０の下方から検体２０を視認することが十分にできた。
実施例３の検体採取管用ラベル１の剥離紙を剥離して検体採取管１０に貼着したところ、ラベル１の下辺が両端で重なって接着し、剥がれることはなかった。また、検体採取管１０の上方から検体２０を視認することが十分にできた。
【符号の説明】
【００３３】
１    検体採取管用ラベル、ラベル
１ｊ  従来の検体採取管用ラベル
１０  検体採取管
１１  下辺
１２  上辺
１３ｍ  右側辺
１３ｈ  左側辺
１４  ラベルの重なった部分
１５  印字用基材
１６  粘着剤層
１７  剥離紙
１８  打ち抜き線
１９  切り取り線
２０  検体
【図１】
2020060425.tif 000003
【図２】
2020060425.tif 000004
【図３】
2020060425.tif 000005
【図４】
2020060425.tif 000006
【図５】
2020060425.tif 000007
【図６】
2020060425.tif 000008
【図７】
2020060425.tif 000009